(57)【要約】【課題】簡易な構造で面格子や網戸の着脱が容易である開口部装置を提供する。【解決手段】縦枠及び横枠が組み合わされた枠体と、上下に移動可能に枠体に備えられる障子とを備える開口部装置であって、枠体の見付面には、面格子部材、又は防虫網材を備える隠蔽部材を備え、隠蔽部材は、格子縦枠及び格子横枠が組み合わされた格子枠体と、格子枠体に配置される面格子部材又は防虫網材と、を有し、横枠のうち、建物に備えられたときに上部となる横枠の見付面には、格子横枠被係合片が備えられ、格子枠体の横枠のうち、建物に備えられたときに上部となる格子横枠には、格子横枠被係合片に係合する係合片が具備され、格子枠体の格子縦枠と、枠体の縦枠の見付面を形成する片と、を見込み方向に挿入された姿勢で固定する固定部材を備えるものとする。【選択図】図２
2011246888.tif 000002
【特許請求の範囲】
【請求項１】
一対の縦枠及び一対の横枠が枠状に組み合わされて形成される枠体と、少なくとも１枚の上下に移動可能に前記枠体の内側に備えられる障子と、を備える開口部装置であって、
前記枠体の見付面の少なくとも一方には、面格子部材、又は防虫網材の少なくとも一方を備える隠蔽部材を備え、
前記隠蔽部材は、一対の格子縦枠及び一対の格子横枠が枠状に組み合わされて形成される格子枠体と、前記格子枠体の枠内に配置される前記面格子部材又は前記防虫網材の少なくとも一方と、を有し、
前記枠体の前記一対の横枠のうち、建物に備えられたときに上部となる横枠の見付面には、突出した格子横枠被係合片が備えられ、
前記格子枠体の前記一対の横枠のうち、建物に備えられたときに上部となる格子横枠には、前記格子横枠被係合片に係合する係合片が具備され、
前記格子枠体の前記一対の格子縦枠の少なくとも一方と、前記枠体の前記縦枠の見付面を形成する片と、を見込み方向に挿入された姿勢で固定する固定部材を備える、開口部装置。
【請求項２】
前記固定部材は、前記格子縦枠の長手方向のうち、前記格子横枠被係合片が具備されない格子横枠側に寄せられて備えられることを特徴とする請求項１に記載の開口部装置。
【発明の詳細な説明】
【技術分野】
【０００１】
本発明は、上げ下げ式に移動可能な障子、及び面格子や網戸を備える開口部装置に関する。
【背景技術】
【０００２】
近年における建築物の多様化により、ここに用いられる窓、扉等の開口部装置も多種多様なものが提案されている。このような開口部装置の中には、建物躯体に取り付けられる固定枠と、該固定枠内に配置されて、該固定枠に対してスイング式に開閉可能な開閉枠と、該開閉枠の内側に上げ下げ式に移動可能な障子と、を備える開口部装置がある（以下、単に「開口部装置」と記載することがある。）。
【０００３】
このような開口部装置では、出入りのための空間は開閉枠を開閉することにより確保できるので、上げ下げ式に移動可能な障子はもっぱら通気のために用いられる。従って開閉枠のうち、室外側となる面側には、意匠性、目隠し、防虫等のために面格子や網戸を配置するのが一般的である。
【０００４】
面格子や網戸は、障子の室外側の清掃をするとき等には取り外す必要がある。すなわち、面格子や網戸を取り外し、及び再装着するに際してはできるだけ容易であることが好ましい。
かかる観点から特許文献１には、網戸や格子体を着脱自在に構成した通風扉が開示されている。
【先行技術文献】
【特許文献】
【０００５】
【特許文献１】特許第３０８６７７８号公報
【発明の概要】
【発明が解決しようとする課題】
【０００６】
しかしながら、特許文献１に記載された従来の上げ下げ窓では、網戸や格子の着脱は容易であるものの、そのための部材（固定ピース）が必要である等、構造が複雑なものとなっていた。
【０００７】
そこで本発明は、上記問題に鑑み、簡易な構造で面格子や網戸の着脱が容易である開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、一対の縦枠（２１、２４）及び一対の横枠（２７、２８）が枠状に組み合わされて形成される枠体（２０）と、少なくとも１枚の上下に移動可能に枠体の内側に備えられる障子（３０、５０）と、を備える開口部装置（１）であって、枠体の見付面の少なくとも一方には、面格子部材（８５）、又は防虫網材（９０）の少なくとも一方を備える隠蔽部材（８０）を備え、隠蔽部材は、一対の格子縦枠（８１、８２）及び一対の格子横枠（８３、８４）が枠状に組み合わされて形成される格子枠体と、格子枠体の枠内に配置される面格子部材又は防虫網材の少なくとも一方と、を有し、枠体の一対の横枠のうち、建物に備えられたときに上部となる横枠（２７）の見付面には、突出した格子横枠被係合片（２７ｄ）が備えられ、格子枠体の一対の横枠のうち、建物に備えられたときに上部となる格子横枠（８３）には、格子横枠被係合片に係合する係合片（８３ａ）が具備され、格子枠体の一対の格子縦枠の少なくとも一方と、枠体の縦枠の見付面を形成する片（２３ｂ、２６ｂ）と、を見込み方向に挿入された姿勢で固定する固定部材（８６ｂ）を備える、開口部装置である。
【００１０】
ここで、「見付方向」とは全体として平板状である開口部装置の該平板状の平面に沿った方向を意味し、開口部装置が建物に取り付けられた姿勢では、建物開口部の開口面に沿った方向を意味する。また、「見付方向内側」とは、見付方向のうち、開口部装置（障子の場合には障子）の中央方向を意味する。従って「見付方向外側」とは見付方向のうち、開口部から離れる方向を意味する。さらに、「見込み方向」とは全体として平板状である開口部装置（障子の場合には障子）の該平板状における厚さ方向を意味し、開口部装置が建物に取り付けられた姿勢では、建物の室内外方向を示す。
また、「枠体の見付面」とは、枠体のうち建物に配置されたときに室内の側面、又は室外の側面となる面である。
【００１１】
請求項２に記載の発明は、請求項１に記載の開口部装置において、固定部材（８６ｂ）は、格子縦枠（８１、８２）の長手方向のうち、格子横枠被係合片が具備されない格子横枠側に寄せられて中央より下方に備えられることを特徴とする。
【発明の効果】
【００１２】
本発明によれば、開口部装置において、操作が容易である固定部材により隠蔽部材を着脱できるので、簡易な構造で面格子や網戸を着脱させることが可能となる。また、開口部装置の設置に際しても同様に容易に面格子や網戸を取り付けることができる。
【図面の簡単な説明】
【００１３】
【図１】１つの実施形態にかかる開口部装置１を、室内側から正面視したときの概略図（図１（ａ））、及び室外側から正面視したときの概略図（図１（ｂ））である。
【図２】図１のＩＩ−ＩＩ線に沿った断面図である。
【図３】図１のＩＩＩ−ＩＩＩ線に沿った断面図である。
【図４】図３と同じ視点において、障子が開放された場面の断面図である。
【図５】ガイドの形状、及び閉鎖の姿勢におけるガイドとガイド溝との位置関係を示す図である。
【図６】上障子及び下障子の形態を説明する斜視図である。
【図７】回転式下部ガイドを説明する図である。
【図８】図２のうち上部に注目した図である。
【図９】図３のうち、吊元側縦枠に注目した図である。
【図１０】隠蔽部材の取り付けを説明する図である。
【図１１】隠蔽部材の取り付けを説明する他の図である。
【図１２】障子を開放させる動作の一場面を説明する図である。
【図１３】障子を開放させたときの一例を説明する図である。
【図１４】ワイヤが切断した時について説明をする図である。
【発明を実施するための形態】
【００１４】
本発明の上記した作用及び利得は、次に説明する発明を実施するための形態から明らかにされる。以下本発明を図面に示す実施形態に基づき説明する。ただし、本発明はこれら実施形態に限定されるものではない。
【００１５】
図１は１つの実施形態にかかる開口部装置１を正面から見た図で、図１（ａ）が室内側から見た図、図１（ｂ）は室外側から見た図である。
図２は図１にＩＩ−ＩＩで示した線に沿った断面図で、紙面右が室内側、紙面左が室外側である。
図３は図１にＩＩＩ−ＩＩＩで示した線に沿った断面図で、紙面上が室外側、紙面下が室内側である。
図４は図３と同じ視点で、２枚の障子が開放された姿勢の断面図である。
図１〜図４及び適宜示す図を参照しつつ開口部装置１について説明する。
【００１６】
「見付方向」とは全体として平板状である開口部装置の該平板状の平面に沿った方向を意味し、開口部装置が建物に取り付けられた姿勢では、建物開口部の開口面に沿った方向を意味する。また、「見付方向内側」とは、見付方向のうち、開口部装置（障子の場合には障子）の中央方向を意味する。従って「見付方向外側」とは見付方向のうち、開口部から離れる方向を意味する。さらに、「見込み方向」とは全体として平板状である開口部装置（障子の場合には障子）の該平板状における厚さ方向を意味し、開口部装置が建物に取り付けられた姿勢では、建物の室内外方向を示す。
【００１７】
開口部装置１は、固定枠体１０、スイング枠２０、上障子３０、下障子５０、及び隠蔽部材８０を備えている。すなわち、開口部装置１には、固定枠体１０の枠内に具備されたスイング式に開閉するスイング枠２０が設けられ、該スイング枠２０内にさらに上げ下げ可能な障子である上障子３０及び下障子５０が備えられている。そしてスイング枠２０の室外側には隠蔽部材８０が被せられるように配置されている。
【００１８】
固定枠体１０は、枠材である固定縦枠１１、１２、固定上横枠１３、及び固定下横枠１４が枠状に組み合わされて形成される枠状体である。当該固定枠体１０が建物の開口部の縁に沿って取り付けられることにより、開口部装置１が建物に固定される。固定枠体１０は、通常の開口部装置に用いられる枠体と同様のものを用いることができる。
【００１９】
図２からわかるように、固定上横枠１３の吊元側端部にはスイング枠２０に設けられたピボットヒンジのピボット軸６を受け入れる軸受７が具備されている。また、固定下横枠１４の吊元側端部には、ピボットヒンジのピボット軸８が配置されている。当該ピボットヒンジを軸としてスイング枠２０がスイング式に開閉可能に固定枠体１０の枠内に配置される。
【００２０】
スイング枠２０は、枠体として機能し、一対の縦枠である吊元側縦枠２１及び戸先側縦枠２４と、一対の横枠であるスイング上横枠２７及びスイング下横枠２８と、を備え、これらが枠状に組み合わされて形成されている。スイング枠２０は、固定枠体１０にスイング式に開閉可能に取り付けられるとともに、上障子３０及び下障子５０を上げ下げ式に移動可能とするガイド溝も有している。
【００２１】
吊元側縦枠２１は、長尺の枠材であり、図３、図４に示した断面を有して形成されている。すなわち、吊元側縦枠２１は、長手方向に直交する断面において、軸側枠部材２２とガイドレール部材２３とが見付方向に配置されて形成されている。
【００２２】
軸側枠部材２２は略矩形中空に設けられた部材である。スイング枠２０は、図３、図４に破線円形で示した部位を軸として固定枠体１０に対してスイング式に開閉可能とされている。また、軸側枠部材２２の室内側で見付方向外側の角部は開閉の際の円滑をはかるために円弧状に形成されている。
【００２３】
ガイドレール部材２３は、見込み方向に延在する片２３ａを有し、該片２３ａの見込み方向両端からは見付方向内側に向けて片２３ｂ、２３ｃが立設されている。ここで片２３ｂには、図３、図４に示したように、後述する格子縦枠固定手段８６の固定部材８６ｂを取り付けるための孔が設けられている。
【００２４】
そして片２３ｂと片２３ｃとの間には、見込み方向に配列される２つのガイド溝２３ｄ、２３ｅが形成される。すなわち、室外側のガイド溝２３ｄと室内側のガイド溝２３ｅである。ガイド溝２３ｄ、２３ｅの長手方向の形態については、ガイド溝２６ｄ、２６ｅの説明のときに述べる。
【００２５】
戸先側縦枠２４は、長尺の枠材であり、図３、図４に示した断面を有して形成されている。戸先側縦枠２４は、長手方向に直交する断面において、戸先枠部材２５とガイドレール部材２６とが見付方向に配置されて形成されている。
【００２６】
戸先枠部材２５は、略矩形中空に設けられた部材である。当該戸先枠部材２５には、図１に示したように取っ手１５、１５が設けられ、使用者はここをつかんで上障子３０、下障子５０を含むスイング枠２０をスイング式に開閉させることができる。従って、戸先枠部材２５の内部には不図示のラッチ機構、錠装置等が配置されている。
【００２７】
ガイドレール部材２６は、見込み方向に延在する片２６ａを有し、該片２６ａの見込み方向両端からは見付方向内側に向けて片２６ｂ、２６ｃが立設されている。ここで片２６ｂには、図３、図４に示したように、後述する格子縦枠固定手段８６の固定部材８６ｂを取り付けるための孔が設けられている。
【００２８】
片２６ｂと片２６ｃとの間には、見込み方向に配列される２つのガイド溝２６ｄ、２６ｅが形成されている。すなわち、室外側のガイド溝２６ｄと室内側のガイド溝２６ｅである。
【００２９】
図５には、ガイドレール部材２６の長手方向で、ガイド溝２６ｄ、２６ｅの長手方向の形状が表れる図を示した。図５では紙面左が室外側、紙面右が室内側である。ガイド溝２６ｄは、図５からわかるように、室外側に設けられ、ガイドレール部材２６の長手方向に略平行に上下に設けられる溝である。
ガイド溝２６ｅは、直線部２６ｅ’及び傾斜部２６ｅ’’を備えている。直線部２６ｅ’は、ガイド溝２６ｄよりも見込み方向室内側に、該ガイド溝２６ｄと略平行に形成された溝である。ガイド溝２６の傾斜部２６ｅ’’は、ガイドレール部材２６の下部に配置され、その上端は直線部２６ｅ’の下端に連続して設けられる。一方、その下端側は、ガイド溝２６ｄの下端位置にまで延在する。すなわち、傾斜部２６ｅ’’は、ガイドレール部材２６の長手方向に延在しつつも、下端に向かうに従って見込み方向外側に傾斜するように形成されている。これにより、後述するように、下障子５０の下端部を上障子３０と同一面内となる位置にまでガイドすることが可能となる。
【００３０】
ガイドレール部材２６に対向するように設けられたガイドレール部材２３にも、同様のガイド溝２３ｄ、２３ｅが設けられている。その態様は上記ガイド溝２６ｄ、２６ｅと共通するので、ここでは説明を省略する。
【００３１】
ガイドレール部材２３、２６には、その長手方向中央よりやや上にローラ７０、７０が備えられる（図６参照）。図３、図５では見やすさのため、当該ローラ７０、７０は省略している。
【００３２】
スイング上横枠２７は、長尺の枠材であり、図２に表れる断面を有して形成されている。スイング上横枠２７は、長手方向に直交する断面において、矩形中空に備えられた中空部２７ａを有している。中空部２７ａの見込み方向両端側からは見付方向内側に向けて片２７ｂ、２７ｃが延在している。片２７ｂと片２７ｃとの間に上障子３０の上端が配置され、これにより閉鎖の姿勢となる。
片２７ｂの室外側面には、断面略Ｌ字状の格子横枠被係合片２７ｄが具備される。格子横枠係合片２７ｄは、断面Ｌ字状である一方の片が室外側に、他方の片が上方に向けられて延在するように形成されている。
また、中空部２７ａの室内側面と固定上横枠１３とを渡すように不図示のドアクローザが取り付けられ、開閉の際の利用者の利便が図られている。
【００３３】
さらに、スイング上横枠２７の吊元側端部には図２に示したようにピボットヒンジのピボット軸６が配置され、固定上横枠１３の軸受け７と合わせられてスイングの軸となる。
【００３４】
スイング下横枠２８は、長尺の枠材であり、図２に表れる断面を有して形成されている。スイング下横枠２８は、長手方向に直交する断面において、矩形中空に備えられた中空部２８ａを有している。中空部２８ａの見込み方向両端側からは見付方向内側に向けて片２８ｂ、２８ｃが延在している。片２８ｂと片２８ｃとの間に下障子５０の下端が配置され、これにより閉鎖の姿勢となる。また、スイング下横枠２８の吊元側端部には図２に示したようにピボットヒンジの軸受け９が配置され、固定下横枠１４のピボット軸８と合わせられてスイングの軸となる。
【００３５】
次に上障子３０、及び下障子５０について説明する。図６には、上障子３０及び下障子５０に注目した室内側から見た模式的な斜視図を示した。図６（ａ）が閉鎖の姿勢、図６（ｂ）が開放の姿勢の一例を表している。
【００３６】
上障子３０は、開放の姿勢では下障子５０より室外側に配置され、閉鎖の姿勢では開口部装置１の上部に配置される障子である。上障子３０は、図１〜図４、図６に表れているように、縦框３１、３２、上横框３３、下横框３４を枠状に組み合わせた框体３５と、框体３５の枠状の内側に配置されるガラスパネル４９とを備えている。また框体３５の４隅には、上横框３３、下横框３４を長手方向に延長する方向に突出するガイド（３６、３６、３８、３８）が設けられている。ここで、上横框３３を延長する方向に設けられたガイドは上部ガイド３６、３６であり、下横框３４を延長する方向に設けられたガイドは下部ガイド３８、３８である。
【００３７】
上部ガイド３６、３６、及び下部ガイド３８、３８は、これらガイドが上記吊元側縦枠２１、戸先側縦枠２４の室外側のガイド溝２３ｄ、２６ｄ（図３、図４参照）内を移動可能とされている。
【００３８】
また、図２〜図４からわかるように、上障子３０のガラスパネル４９は、その端部が縦框３１、３２、上横框３３、下横框３４にグレージングチャンネルを介して差し込まれて固定されている。
【００３９】
下障子５０は、開放の姿勢では上障子３０より室内側に配置され、閉鎖の姿勢では開口部装置１の下部に配置される障子である。下障子５０は、図１〜図４及び図６に表れているように、縦框５１、５２、上横框５３、下横框５４を枠状に組み合わせた框体５５と、框体５５の枠状の内側に配置されるガラスパネル６９とを備えている。ここで上横框５３には、図２からわかるように室内側となる位置に把持部５３ａを具備している。当該把持部５３ａは、上方に向けて延在し、使用者がここを持って下障子５０を操作することができる他、閉鎖の姿勢における上障子３０との境目を室内視から隠蔽することができる。
【００４０】
下障子５０のうち、上横框５３を延長する方向にラッチ５６、５６が設けられている。ラッチ５６、５６は、いわゆるラッチであり、所定の力を付加することにより、その突出量を変えることができる。これにより、後述するように、ガイド溝２６ｄとガイド溝２６ｅ（ガイド溝２３ｄとガイド溝２３ｅ）との間で、ガイド溝からガイド溝へと下障子５０の上端部を円滑に移動させることが可能となる。そして、下障子５０の上端部を、上障子３０と面一である位置と、室内側に突出させた位置と、に移動させることが可能となる。
【００４１】
本実施形態では、ラッチ式とし、所定の力を付加することにより自動に突出量を変える態様とした。これにより使用者の便宜が図られている。ただし、これに限定されるものでなく、手動で突出量を変えられるように形成してもよい。すなわちこの部分ををスライドさせることにより突出量を大きくし、反対側にスライドさせることにより突出量を小さくする態様でもよい。
【００４２】
下障子５０のうち、下横枠５４を延長する方向には回動式下部ガイド５８、５８が設けられている。図７には、図６（ａ）、図６（ｂ）のうち、一方側の回動式下部ガイド５８が配置された部位を拡大した図を示した。図７からわかるように、回動式下部ガイド５８は、略Ｌ字状である基材５８ａと、基材５８ａのＬ字状の１つの片に回動可能に設けられた回動板５８ｂと、回動板５８ｂの回動軸と同軸に突設された円柱状のガイド部材５８ｃと、を備えている。また、回動板５８ｂには、ガイド部材５８ｃと同じ面側で、他端側となる部位に、ワイヤ係止突起５８ｄが設けられている。
【００４３】
このような回動式下部ガイド５８は、図６、図７からわかるように、Ｌ字状である基材５８ａが、下横框５４と縦框５１とが形成する角部に配置されて固定されている。このとき、回動板５８ｂが縦框５１に沿うように、また、ガイド部材５８ｃ、及びワイヤ係止突起５８ｄが見付方向外側に突出するように具備される。ここで、回動板５８ｂは、図６（ｂ）、図７（ｂ）からわかるように、室内外方向を含む垂直平面内で回動可能とされている。従って、ガイド部材５８ｃを中心に、該ガイド部材５８ｃの周りをワイヤ係止突起５８ｄが回動可能とされている。
【００４４】
また、他方の回動式下部ガイド５８も下横框５４と縦框５２とが形成する角部に設けられる。
【００４５】
下障子５０のガラスパネル６９は、図２〜図４からわかるように、その端部が縦框５１、５２、上横框５３、下横框５４にグレージングチャンネルを介して差し込まれて固定されている。
【００４６】
また、図６からわかるように、上障子３０と下障子５０とはローラ７０に掛けられたワイヤ７３により連結されている。各部材の関係については後で詳しく説明する。
【００４７】
図１〜図４に戻り、隠蔽部材８０について説明する。隠蔽部材８０はスイング枠２０の室外側から被せるように該スイング枠２０に取り付けられる部材である。隠蔽部材８０は、格子縦枠８１、８２、格子横枠８３、８４、面格子部材８５、８５、…、格子縦枠固定手段８６、及び網材９０を備えている。隠蔽部材８０により、室外視から室内の少なくとも一部を隠蔽したり、外観（意匠性）を向上させたりすることができる。また、網材９０を備えることにより、害虫の室内側への侵入を防止することが可能となる。
【００４８】
格子縦枠８１、８２は図１、図３、図４からわかるように、隠蔽部材８０の縦枠を形成する部材であり、一辺が開放された略台形状の断面を有する長尺の部材である。格子縦枠８１、８２が向かい合う面側には、網材９０の端部を固定する部位が備えられている。
【００４９】
格子横枠８３、８４は、図１、図２からわかるように、隠蔽部材８０の上横枠及び下横枠を形成する部材であり、一辺が開放された略台形の断面を有する長尺の部材である。ここで、上横枠を形成する格子横枠８３には、その最上部となる片から垂下するように係合片８３ａが設けられている。また、格子横枠８３、８４が向かい合う面側には、網材９０の端部を固定する部位が備えられている。
【００５０】
当該格子縦枠８１、８２及び格子横枠８３、８４が枠組みされて格子枠体とされている。
【００５１】
面格子部材８５、８５は、格子縦枠８１、８２間を渡すように設けられ、所定の間隔を有して上下方向に配列される横長矩形の板状部材である。これにより、室外視から室内を隠蔽することや外観（意匠性）を向上させることが可能となる。そして、面格子部材８５、８５、…の室内側には網材９０が張られ、害虫の侵入を防止している。
【００５２】
格子縦枠固定手段８６、８６は、図３、図４にその態様が表れている。格子縦枠固定手段８６は、受け部材８６ａ及び固定部材８６ｂを有している。受け部材８６ａは、板状の部材であり、固定部材８６ｂと螺合可能な孔を備えている。一方、固定部材８６ｂはいわゆるネジである。
【００５３】
このような隠蔽部材８０は、格子縦枠８１、８２、及び格子横枠８３、８４が枠状に組み合わされ、その枠内に格子縦枠８１、８２間を渡された複数の面格子部材８５、８５が上下方向に並列されている。また、網材９０は、その外周端部が格子縦枠８１、８１、及び格子横枠８３、８４のそれぞれに固定される。
格子縦枠固定手段８６、８６は、図１に示したように、格子縦枠８１、８２の長手方向中央より下の位置に配置される。すなわち、上側の格子横枠８３より下側の格子横枠８４に近付けられて配置される。この位置は、上障子３０、下障子５０を開放の姿勢にしたとき、いずれの障子も存在しなくなる高さ方向位置のいずれかであることが好ましい。
【００５４】
以上のような各部材を有して開口部装置１として構成される。図１〜図９を参照しつつ、上障子３０、及び下障子５０が閉鎖した姿勢における各部材の配置について説明する。図８は、図２のうち開口部装置１の上部に注目した図である。図９は図３のうち、吊元側縦枠２１側に注目した図である。
【００５５】
滑車を具備するローラ７０、７０が吊元側縦枠２１、戸先側縦枠２４の長手方向中央より若干上の部位のそれぞれに取り付けられる（図６参照。ただし、図６では一方のローラ７０のみが見え、他方のローラ７０は死角となって見えない。以下、図６に表れている側のみについて説明するが、死角側も同様の構造である。）。そしてローラ７０の滑車に、ワイヤ７３が引っ掛けられ、その一端は、下障子５０の回動式下部ガイド５８のうち、ワイヤ係止突起５８ｄに取り付けられる（図７（ａ）参照）。一方、ワイヤ７３の他端は、上障子３０の下部ガイド３８に固定される。これにより上障子３０と下障子５０とがワイヤ７３により連結され、連動することが可能となる。
【００５６】
このように連結された上障子３０及び下障子５０は、図２に示したように、スイング枠２０の内側に、上下に同一平面内となるように並列される。このとき、上障子３０の上部ガイド３６、３６及び下部ガイド３８、３８は、スイング枠２０のガイド溝２３ｄ、２６ｄ内に配置される。すなわち、上障子３０は、ガイド溝２３ｄ、２６ｄに沿って上下に移動することが可能とされている。
一方、下障子５０は、図２、図５に示したように、下障子５０のラッチ５６、５６は、スイング枠２０のガイド溝２３ｄ、２６ｄ内に配置される。また、回動式下部ガイド５８、５８は、図５からよくわかるように、そのガイド部材５８ｃ、５８ｃがスイング枠２０のガイド溝２３ｅ、２６ｅの最下部、すなわち、傾斜部の最下部に配置される。一方、回動式下部ガイド５８、５８のワイヤ係止突起５８ｄ、５８ｄは、スイング枠２０のガイド溝２３ｄ、２６ｄ内に配置される。従って、図５に示したように、上障子３０及び下障子５０の閉鎖の姿勢では、ガイド部材５８ｃ、５８ｃとワイヤ係止突起５８ｄ、５８ｄとは上下に並び、回動板５８が略垂直となる。
【００５７】
そして上障子３０、下障子５０が配置されたスイング枠２０がピボットヒンジにより固定枠体１０の枠内にスイング式に回動可能に配置される。
【００５８】
隠蔽部材８０は、図８からわかるように、格子横枠８３の係合片８３ａが、スイング上横枠２７の格子横枠被係合片２７ｄに引っ掛けられるように配置される。一方、格子縦枠８１では、図１に示した位置に、図９からわかるように、受け部材８６ａが、その左右両端を格子縦枠８１の開口した部分を塞ぐように、該格子縦枠８１に係止される。そして、固定部材８６ｂは吊元側縦枠２１の片２３ｂの孔を貫通して受け部材８６ａに螺合する。反対側の格子縦枠８２についても同様である（図３、図４参照）。
これにより隠蔽部材８０がスイング枠２０に固定される。
【００５９】
開口部装置１によれば隠蔽部材８０の上部は引っ掛けるのみ、下部は見込み方向に延びた固定部材８６ｂによりスイング枠２０に固定されるので、隠蔽部材８０の施工時の装着が容易である。また、その後の着脱も簡単に行うことができる。しかもその構造は以上の説明からもわかるように非常に簡易的である。
【００６０】
隠蔽部材８０の装着の手順の一例について説明する。図１０、図１１に説明のための図を示した。すなわち、はじめに図１０に示したように、隠蔽部材８０の上部がスイング枠２０に近付くように傾ける。そして、図１０に矢印Ｐで示したように、スイング横枠２７の格子横枠被係合片２７ｄに格子横枠８３の係合片８３ａを引っ掛けるように配置する。その後、図１０に矢印Ｑで示したように回動させ、隠蔽部材８０をスイング枠２０に密着させる。
【００６１】
次に、当該矢印Ｑの回動により、図１１にもＱで示したように格子縦枠８１、８２がスイング枠２０に密着する。そして固定部材８６ｂ、８６ｂを片２３ｂ、２６ｂを貫通させて受け部材８６ａ、８６ａに螺合させて固定する。このとき、固定部材８６ｂは、見込み方向に延在し、見込み方向に差し込む工具により作業をすることができる。従って作業が簡易となる。
【００６２】
一方、隠蔽部材８０を取り去る時は上記を遡るように行えばよい。従って施工時の隠蔽部材８０の取り付けのみでなく、その後の着脱も容易である。
【００６３】
次に、上障子３０及び下障子５０が閉鎖した姿勢から、これらを開放する動作をしたときの各部の動きについて説明する。図１２、図１３に説明図を示した。図１２、図１３はそれぞ垂直方向の断面図であり、（ａ）は上障子３０、下障子５０の姿勢を表し、（ｂ）はカイド（３８、５６等）の姿勢や位置を示している。なお、ここでは一方のガイドレール部材２６側についてのみ図示するが、これに対向して配置されているガイドレール部材２３側も同様である。
【００６４】
図２、図５で示した上障子３０及び下障子５０の閉鎖の姿勢から、図１２に示したように下障子５０の上横框５３に設けられた把持部５３ａを持って室内側にひく。ここで、下障子５０の上部にはラッチ５６、５６が配置されているので、図１２（ｂ）のように、当該ラッチ５６、５６は、ガイド溝２６ｄから、室内側のガイド溝２６ｅに移動させることができる。これにより図１２（ａ）のように下障子５０は、その上端が室内側に倒された姿勢となる。
【００６５】
ここで、上部ガイドがラッチでなく手動で摺動させる部材である場合も、当該部材を手動で突没させることにより、同様に下障子５０の上部を室内側に倒し、部材をガイド溝２６ｅに配置させることができる。
【００６６】
図１２に示した姿勢から、下障子５０を引き上げる。すると下障子５０の回動式下部ガイド５８は、図１３に表れているように、該回動式下部ガイド５８のうち、ガイド部材５８ｃが、ガイド溝２６ｅ内を移動する。また回動式下部ガイド５８のうち、ワイヤ係止突起５８ｄはガイド溝２６ｄ内を移動する。従って回動式下部ガイド５８の回動板５８ｂは図１３（ｂ）からわかるように水平に近い姿勢で上方に移動する。
一方、下障子５０が上方に引き上げられたことで、ワイヤ７３を介してバランスを保つように上障子３０は自重により下方に移動する。これにより、図１３（ａ）のように、上障子３０、及び下障子５０が開放の姿勢となる。ここで、図１３（ｂ）からわかるように、回動式下部ガイド５８は、ワイヤ係止突起５８ｄがワイヤ７３を介して上障子３０に引っ張られているので、このワイヤ係止突起５８ｄはガイド部材５８ｃより若干上方である姿勢を維持して上下に移動する。
【００６７】
このように、開口部装置１によれば、ワイヤで連動して相対的に上下にすれ違うように移動する２枚の障子について、その閉鎖時には障子を同一平面内に配置することが可能となる。これにより、スイング枠２０の厚さを薄く抑えることや、閉鎖時の外観の向上を図ることが可能となる。また、上記からわかるように、障子を開放する動作も容易であり、そのための機構も簡易である。
【００６８】
そして、スイング枠２０の厚さを薄く抑えることができることにより、スイング枠２０の室外側において室外側に突出する部材を小さくすることができるので、図２にＢで示した大きさを薄く抑えることが可能となった。
【００６９】
さらに、回動式下部ガイド５８は、ワイヤ７３が万が一切れたときにおいて、上障子３０及び下障子５０が下まで急激に落下し、ここに何かを挟むといった「挟み」を防止する機能も有する。図１４に説明図を示した。図１４では、図１２（ｂ）や図１３（ｂ）と同様に、ガイドの位置により障子の位置がわかるように表している。
図１４（ａ）に示したような上障子３０及び下障子５０の開放の姿勢において、ワイヤ７３が何らかの理由により切れた場合を考える。図１４（ａ）の状態から図１４（ｂ）に示したようにワイヤ７３が切れると、回動式下部ガイド５８はワイヤ７３からの張力の影響を受けなくなくなる。すると、ワイヤ係止突起５８ｄが下がり、ガイド部材５８ｃよりも低い位置となる。従って回動板５８ｂは室外側でやや下であるように傾いた姿勢となる（図１４（ｂ）のＡ）。
【００７０】
さらに、図１４（ｂ）にＡで示した回動式下部ガイド５８の位置及び姿勢で、直線矢印で示したように下障子５０が落下する。しかしながら、回動式下部ガイド５８の上記姿勢により、該回動式下部ガイド５８は、ガイド溝２６ｅの直線部２６ｅ’と傾斜部２６ｅ’’との間で引っ掛かり、これより下方に移動することができない。従って下障子５０はこれより下がらないので「挟み」を防止することができる。
【００７１】
一方、上障子３０についても、ガイド溝２６ｄには回動式下部ガイド５８のワイヤ係止突起５８ｄが存在するので、これより下がることができない。従って、上障子３０についても同様に「挟み」を防止することが可能である。
【００７２】
このように、回動式下部ガイド５８によれば、安全装置として新たな部材を設ける必要はない。ただし、より安全性を向上させる観点から他に安全装置を追加することをさまたげるものではない。
【００７３】
本実施形態では、２枚の障子が連動して開閉する上げ下げ障子に対して、上記隠蔽部材を適用する例を示したが、隠蔽部材については、一方の障子が固定障子で他方が上げ下げするいわゆる上げ下げ窓に対しても適用することが可能である。
【００７４】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う開口部装置も本発明の技術的範囲に包含されるものとして理解されなければならない。
【符号の説明】
【００７５】
１  開口部装置
１０  固定枠体
１１  固定縦枠
１２  固定縦枠
１３  固定上横枠
１４  固定下横枠
２０  スイング枠（枠体）
２１  吊元側縦枠（縦枠）
２２  軸側枠部材
２３  ガイドレール部材
２４  戸先側縦枠（縦枠）
２５  戸先枠部材
２６  ガイドレール部材
２７  スイング上横枠（横枠）
２８  スイング下横枠（横枠）
３０  上障子
３６  上部ガイド
３８  下部ガイド
４９  ガラスパネル
５０  下障子
５６  ラッチ
５８  回動式下部ガイド
６９  ガラスパネル
７０  ローラ
７３  ワイヤ
８０  隠蔽部材
８１  格子縦枠
８２  格子縦枠
８３  格子横枠
８４  格子横枠
８５  面格子部材
８６  格子縦枠固定手段
９０  網材
【図１】
2011246888.tif 000003
【図２】
2011246888.tif 000004
【図３】
2011246888.tif 000005
【図４】
2011246888.tif 000006
【図５】
2011246888.tif 000007
【図６】
2011246888.tif 000008
【図７】
2011246888.tif 000009
【図８】
2011246888.tif 000010
【図９】
2011246888.tif 000011
【図１０】
2011246888.tif 000012
【図１１】
2011246888.tif 000013
【図１２】
2011246888.tif 000014
【図１３】
2011246888.tif 000015
【図１４】
2011246888.tif 000016